(57)【特許請求の範囲】
【請求項１】
プラントより収集された複数のプラントデータを記憶する第１の記憶手段と、
前記第１の記憶手段に記憶されている複数の前記プラントデータを読み込み該プラントデータに関するグラフプロットデータ群を作成する作成手段と、
前記作成手段にて作成された前記グラフプロットデータ群の中の個々のデータどうしの重なり度合いを算出する算出手段と、
第１の重なり度基準値と、第１の重なり度基準値より大きい第２の重なり度基準値とを記憶する第２の記憶手段と、
前記算出手段にて算出された前記グラフプロットデータの重なり度合いに基づいて、前記重なり度合いが識別可能となるように前記グラフプロットデータ群を表示出力装置に可視的に表示させる表示制御手段とを具備し、
この表示制御手段は、前記第２の記憶手段から前記第１、第２の重なり度基準値を読み出して前記算出手段で算出された重なり度と比較し、重なり度が第１の重なり度基準値以下のグラフプロッタデータを第１の表示形式にて前記表示出力装置に表示させ、重なり度が第１の重なり度基準値より大きいグラフプロットデータを第２の表示形式にて前記表示出力装置に表示させ、かつ重なり度が第２の重なり度基準値より大きいグラフプロットデータを第３の表示形式にて前記表示出力装置に表示させる
ことを特徴とするプラントデータ解析装置。
【請求項２】
請求項１記載のプラントデータ解析装置において、
前記第１、第２、第３の表示形式は、互いにプロット点の表示色が異なるものであることを特徴とするプラントデータ解析装置。
【請求項３】
プラントより収集された複数のプラントデータを記憶する記憶手段と、
前記記憶手段に記憶されている複数の前記プラントデータを読み込み該プラントデータに関するグラフプロットデータ群を作成する作成手段と、
前記作成手段にて作成された前記グラフプロットデータ群の中の個々のデータどうしの重なり度合いを算出する算出手段と、
前記算出手段にて算出された前記グラフプロットデータの重なり度合いに基づいて、前記重なり度合いが識別可能となるように前記グラフプロットデータ群を可視的に表示する表示手段とを具備し、
前記表示手段が、前記グラフプロットデータの重なり度合いに基づいて、表示するグラフプロットデータの表示記号を変えることを特徴するプラントデータ解析装置。
【請求項４】
プラントより収集された複数のプラントデータを記憶する記憶手段と、
前記記憶手段に記憶されている複数の前記プラントデータを読み込み該プラントデータに関するグラフプロットデータ群を作成する作成手段と、
前記作成手段にて作成された前記グラフプロットデータ群の中の個々のデータどうしの重なり度合いを算出する算出手段と、
前記算出手段にて算出された前記グラフプロットデータの重なり度合いに基づいて、前記重なり度合いが識別可能となるように前記グラフプロットデータ群を可視的に表示する表示手段とを具備し、
前記表示手段が、前記グラフプロットデータの重なり度合いを、所定の表示範囲毎にデータ分布として別に表示することを特徴するプラントデータ解析装置。
【請求項５】
プラントより収集されたプラントデータを記憶する記憶手段と、
前記記憶手段に記憶されているプラントデータを読み込み前記プラントデータに関するサンプリングされたトレンドグラフデータを作成する作成手段と、
前記作成手段にて作成された前記トレンドグラフデータをドット表示する第１の表示手段と、
前記第１の表示手段にてドット表示されたトレンドグラフデータの任意のドット位置を指定する第１の指定手段と、
前記第１の指定手段において指定されたドット位置に対応する時刻に対し前記サンプリングの周期を加算する指定を行う第２の指定手段と、
前記第１及び第２の指定手段によりそれぞれ指定された内容に対応させてトレンドグラフデータを詳細にドット表示する第２の表示手段と
を具備し、
前記第２の表示手段は、前記第１の指定手段にて指定されたドット位置のトレンドグラフデータの値を個別に表示するとともに、前記第２の指定手段によりサンプリング周期の加算が指定されるたびに、表示されている前記トレンドグラフデータの値を、そのサンプリング周期に相当する時間経過後のトレンドグラフデータの値で表示更新する
ことを特徴とするプラントデータ解析装置。
【請求項６】
プラントより収集されたプラントデータを記憶する記憶手段と、
前記記憶手段に記憶されているプラントデータを読み込み前記プラントデータの経時変化が表されるトレンドグラフデータを作成する作成手段と、
前記作成手段にて作成された前記トレンドグラフデータを可視的に表示する第１の表示手段と、
前記第１の表示手段にて可視的に表示されたトレンドグラフデータの任意の位置を指定する指定手段と、
前記指定手段にて指定された位置のトレンドグラフデータを詳細に表示する第２の表示手段とを具備し、
前記第２の表示手段は、前記指定手段にて指定された位置に対応する複数の時系列データをリスト形式で表示することを特徴とするプラントデータ解析装置。
【発明の詳細な説明】
【０００１】
【発明の属する技術分野】
本発明は、プラン卜から収集されたプラントデータを解析するプラントデータ解析装置に関する。
【０００２】
【従来の技術】
従来、プラントの長期的な傾向の監視や試験時、異常時等のプラントデータの収集を目的として、プラントデータ収集装置が設置されているが、このプラントデータ収集装置にて収集されたプラントデータは、プラン卜収集装置内で使用される場合の他に、外部記憶媒体または伝送等によりプラントデータ解析装置に取り込んで使用される場合がある。このプラントデータ解析装置にて用いられるプラントデータには、プラントの長期的な傾向の監視等に使用される１時間といった比較的長いサンプリング周期で収集されたプラントデータや、プラントの試験時や異常時等の解析に使用される１０ｍｓｅｃ（０．０１秒）といった短いサンプリング周期で収集されたプラントデータ等様々な収集形態のプラントデータが存在する。プラントデータ収集装置により収集されたプラントデータをプラントデータ解析装置で読み込んで作成したデータは、図２１に示すように、データを収集した時刻毎に各信号（種類の異なる測定項目）におけるデータが収録されている。
【０００３】
このようなプラントデ−タ解析装置は、例えば、前述した長短の各サンプリング周期で収集されたプラントデ−タを解析するために、図２２に示すように、一定時間毎に測定された二種類のプラントデータの相関関係をグラフ表示するための第１のプラントデ−タ解析装置、及び図２３に示すように測定されたプラントデータの経時変化をトレンドグラフ表示するための第２のプラントデ−タ解析装置等が例示される。
【０００４】
第１のプラントデ−タ解析装置Ｇは、図２４に示すように、プラントから収集された複数のプラントデータを記録するプラントデータ記憶部１と、このプラントデータ記憶部１に記憶されているプラントデータを読み込み該プラントデータに関するグラフプロットデータ群を作成するプロットデータ作成部２と、このプロットデータ作成部２にて作成されたグラフプロットデータに基づいて入出力端末３にグラフ表示を行うためのデータ表示制御部４とにより構成されている。
【０００５】
ここで、第１のプラントデータ解析装置Ｇの入出力端末３に、図２５に示すように、縦１０２４ドット、横１２８０ドットの分解能を持ったＣＲＴ（ブラウン管）が備えられているとき、例えば図２２に示すように、プラントデータとして１時間毎の圧力信号と蒸気流量との相関関係をグラフ表示する場合について説明する。そこで、このＣＲＴの縦５００ドット、横５００ドットのエリアを使ってグラフ表示を行い、Ｘ軸に対応する表示レンジを０ｔ／ｈ〜５０００ｔ／ｈとし、Ｙ軸に対応する表示レンジを５０ｋｇ／ｃｍ2 〜６０ｋｇ／ｃｍ2 とする。この場合、Ｘ軸に対応する１ドットは１０ｔ／ｈに相当し、Ｙ軸に対応する１ドットは０．０２ｋｇ／ｃｍ2 に相当することになる。このため、Ｘ軸側の１０ｔ／ｈ以下の範囲内にデータが二つ以上存在するか、若しくはＹ軸側の０．０２ｋｇ／ｃｍ2 以下の範囲内にデータが二つ以上存在すると、同一のドットにデータが重なって表示されてしまい個々のデータの区別ができなくなる。
【０００６】
一方、第２のプラントデータ解析装置Ｈは、図２６に示すように、プラントから収集されたプラントデータを記憶するプラントデータ記憶部１１と、プラントデータ記憶部１１に記憶されているプラントデータを読み込みプラントデータに関するトレンドグラフデータを作成するトレンドデータ作成部１２と、このトレンドデータ作成部１２にて作成されたトレンドグラフデータに基づいて入出力端末１３にトレンドグラフ表示を行うためのトレンドデータ表示制御部１４と、表示されたトレンドグラフにおいて入出力端末１３を介して指定された位置の時刻を算出する指定時刻算出部１５と、この指定時刻算出部１５にて算出された時刻とプラントデータ記憶部１１より読み込んだプラントデータとから指定した時刻に対応するプラントデータの値を算出する指定データ値算出部１６と、指定データ値算出部１６にて算出されたプラントデータの値と指定時刻算出部１５にて算出された時刻とを入出力端末１３に表示するための指定データ値表示制御部１７とにより構成されている。
【０００７】
ここで、第２のプラントデータ解析装置Ｈの入出力端末１３に、図２７に示すように、縦１０２４ドット、横１２８０ドットの分解能を持ったＣＲＴが備えられているとき、例えば図２３に示すように、プラントデータとして１０ｍｓｅｃのサンプリング周期で６０秒間収集されたポンプ出力の経時変化をトレンドグラフ表示する場合について説明する。この場合、ＣＲＴ上に表示されたカーソルで指定した位置の時刻とその時刻に対応するポンプ出力の値が表示されるものとする。そこで、このＣＲＴの縦５００ドット、横６００ドットのエリアを使ってグラフ表示を行い、Ｙ軸に対応する表示レンジを０％〜１００％とし、Ｘ軸に対応するトレンド表示時間を０秒〜６０秒とする。この場合、Ｙ軸に対応する１ドットは０．２％に相当し、Ｘ軸に対応する１ドットは１００ｍｓｅｃに相当することになる。このため、１０ｍｓｅｃのサンプリング周期で収集されたデータであるにも拘らず、１ドットの幅に１０点分のデータが重なって表示されてしまうことから１００ｍｓｅｃでサンプリングしたデータと変わりなくなってしまう。
【０００８】
【発明が解決しようとする課題】
このように、ＣＲＴ等の分解能に制約があるため、前述したように、一定時間毎に測定された二種類のプラントデータの相関関係をグラフ表示から読み取ろうとした場合、プラントデータが同一の表示位置に重なって表示されてしまうことがあり、データの分布状態を細かく読み取ることができないという問題があった。また、短いサンプリング周期で収集されたプラントデータの経時変化をトレンドグラフ表示した場合、サンプリング周期と同一間隔の時間毎にプラントデータを表示できないことがあるため、サンプリングされた周期単位でデータ値を読み取ることができないという問題もあった。
【０００９】
本発明はこのような課題を解決するためになされたものであり、例えば一定時間毎に測定された二種類のプラントデータの相関関係が表されるグラフ表示からデータの分布状態が細かく読み取れるとともに、測定されたプラントデータの経時変化が表されるトレンドグラフ表示から、サンプリングされた周期単位でプラントデータの値を読み取ることが可能なプラントデータ解析装置を提供しようとするものである。
【００１０】
【課題を解決するための手段】
上記の目的を達成するため、本発明のプラントデータ解析装置は、プラントより収集された複数のプラントデータを記憶する第１の記憶手段と、前記第１の記憶手段に記憶されている複数の前記プラントデータを読み込み該プラントデータに関するグラフプロットデータ群を作成する作成手段と、前記作成手段にて作成された前記グラフプロットデータ群の中の個々のデータどうしの重なり度合いを算出する算出手段と、第１の重なり度基準値と、第１の重なり度基準値より大きい第２の重なり度基準値とを記憶する第２の記憶手段と、前記算出手段にて算出された前記グラフプロットデータの重なり度合いに基づいて、前記重なり度合いが識別可能となるように前記グラフプロットデータ群を表示出力装置に可視的に表示させる表示制御手段とを具備し、この表示制御手段が、前記第２の記憶手段から前記第１、第２の重なり度基準値を読み出して前記算出手段で算出された重なり度と比較し、重なり度が第１の重なり度基準値以下のグラフプロッタデータを第１の表示形式にて前記表示出力装置に表示させ、重なり度が第１の重なり度基準値より大きいグラフプロットデータを第２の表示形式にて前記表示出力装置に表示させ、かつ重なり度が第２の重なり度基準値より大きいグラフプロットデータを第３の表示形式にて前記表示出力装置に表示させることを特徴とする。
【００１１】
また、本発明のプラントデータ解析装置は、前記第１、第２、第３の表示形式は、互いにプロット点の表示色が異なるものであることを特徴とする。
【００１２】
さらに、本発明のプラントデータ解析装置は、プラントより収集された複数のプラントデータを記憶する記憶手段と、前記記憶手段に記憶されている複数の前記プラントデータを読み込み該プラントデータに関するグラフプロットデータ群を作成する作成手段と、前記作成手段にて作成された前記グラフプロットデータ群の中の個々のデータどうしの重なり度合いを算出する算出手段と、前記算出手段にて算出された前記グラフプロットデータの重なり度合いに基づいて、前記重なり度合いが識別可能となるように前記グラフプロットデータ群を可視的に表示する表示手段とを具備し、前記表示手段が、前記グラフプロットデータの重なり度合いに基づいて、表示するグラフプロットデータの表示記号を変えることを特徴する。
【００１３】
また、本発明のプラントデータ解析装置は、プラントより収集された複数のプラントデータを記憶する記憶手段と、前記記憶手段に記憶されている複数の前記プラントデータを読み込み該プラントデータに関するグラフプロットデータ群を作成する作成手段と、前記作成手段にて作成された前記グラフプロットデータ群の中の個々のデータどうしの重なり度合いを算出する算出手段と、前記算出手段にて算出された前記グラフプロットデータの重なり度合いに基づいて、前記重なり度合いが識別可能となるように前記グラフプロットデータ群を可視的に表示する表示手段とを具備し、前記表示手段が、前記グラフプロットデータの重なり度合いを、所定の表示範囲毎にデータ分布として別に表示することを特徴する。
【００１５】
また、本発明のプラントデータ解析装置は、プラントより収集されたプラントデータを記憶する記憶手段と、前記記憶手段に記憶されているプラントデータを読み込み前記プラントデータに関するサンプリングされたトレンドグラフデータを作成する作成手段と、前記作成手段にて作成された前記トレンドグラフデータをドット表示する第１の表示手段と、前記第１の表示手段にてドット表示されたトレンドグラフデータの任意のドット位置を指定する第１の指定手段と、前記第１の指定手段において指定されたドット位置に対応する時刻に対し前記サンプリングの周期を加算する指定を行う第２の指定手段と、前記第１及び第２の指定手段によりそれぞれ指定された内容に対応させてトレンドグラフデータを詳細にドット表示する第２の表示手段とを具備し、前記第２の表示手段が、前記第１の指定手段にて指定されたドット位置のトレンドグラフデータの値を個別に表示するとともに、前記第２の指定手段によりサンプリング周期の加算が指定されるたびに、表示されている前記トレンドグラフデータの値を、そのサンプリング周期に相当する時間経過後のトレンドグラフデータの値で表示更新することを特徴とする。
【００１８】
さらに、本発明のプラントデータ解析装置は、プラントより収集されたプラントデータを記憶する記憶手段と、前記記憶手段に記憶されているプラントデータを読み込み前記プラントデータの経時変化が表されるトレンドグラフデータを作成する作成手段と、前記作成手段にて作成された前記トレンドグラフデータを可視的に表示する第１の表示手段と、前記第１の表示手段にて可視的に表示されたトレンドグラフデータの任意の位置を指定する指定手段と、前記指定手段にて指定された位置のトレンドグラフデータを詳細に表示する第２の表示手段とを具備し、前記第２の表示手段が、前記指定手段にて指定された位置に対応する複数の時系列データをリスト形式で表示することを特徴とする。
【００２０】
【発明の実施の形態】
以下、本発明の実施の形態を図面に基づき説明する。
【００２１】
図１は、本発明の第１の実施形態にかかるプラントデータ解析装置を示す構成図である。
【００２２】
同図に示すように、このプラントデータ解析装置Ａは、一定時間毎に測定された二種類のプラントデータの相関関係をグラフ表示するためのものであり、プラントから収集された複数のプラントデータを記憶するプラントデータ記憶部１０１と、このプラントデータ記憶部１０１に記憶されているプラントデータを読み込み該プラントデータに関するグラフプロットデータ群を作成するプロットデータ作成部１０２と、このプロットデータ作成部１０２にて作成されたグラフプロットデータ群の中の個々のデータどうしの重なり度合いを算出する重複度算出部１０３と、この重複度算出部１０３にて算出されたグラフプロットデータの重なり度合いと色調データ記憶部１０４に記憶されている色調データとに基づいてＣＲＴを備えた入出力端末１０５にグラフ表示を行うためのデータ表示制御部１０６とにより構成されている。
【００２３】
色調データ記憶部１０４には、図２に示すように、色調データが記憶されおり、色番号と重複度とから構成されている。色番号１は“４”＝緑色、色番号２は“６”＝黄色、色番号３は“２”＝赤色に各々対応している。重複度１は“１０”、重複度２は“２０”であり、データの重なり数の基準値が登録されている。そして、ＣＲＴの同一の表示位置でグラフプロットデータの重なり度合いが１０個以下の場合は緑色表示、データの重なり度合いが１１個以上で２０個以下の場合は黄色表示、データの重なり度合いが２１個以上の場合は赤色表示がそれぞれ行われる設定となっている。
【００２４】
次に、重複度算出部１０３にて行われる処理を図３に示すフローチャートにより説明する。なお、Ｒ（Ｉ）、ＸＰ（Ｉ）、及びＹＰ（Ｉ）は、重複度、ＣＲＴにおけるＸ軸上のプロット位置、及びＣＲＴにおけるＹ軸上のプロット位置をそれぞれ示す。また、Ｉはプラントデータに関する個々のグラフプロットデータの組み合わせの個数を示す。
【００２５】
まず、変数及びＲ（Ｉ）の初期化が行われ（Ｓ１０１〜Ｓ１０３）、自身の重複度の算出を行わないようチェックが行われる（Ｓ１０４）。次に、グラフプロットデータのＸ軸及びＹ軸のプロット位置が一致しているか否かのチェックが行われる（Ｓ１０５、Ｓ１０６）。Ｘ軸及びＹ軸のプロット位置が重複している場合は、Ｒ（Ｉ）に１が加算され（Ｓ１０７）、同様にして全グラフプロットデータの組み合わせにおいてチェックが行われる（Ｓ１０８〜Ｓ１１１）。
【００２６】
次に、データ表示制御部１０６にて行われる処理を図４に示すフローチャートにより説明する。なお、入出力端末１０５に備えられているＣＲＴ上の色表示は、プロット出力にて上書きされた表示色が優先表示されるものとする。
【００２７】
まず、色調データ記憶部１０４より１番目の色番号設定値と重複度設定値とが読み込まれると（Ｓ１２１）、１番目の重複度設定値とのチェックが行われ（Ｓ１２２、Ｓ１２３）、重複度が１番目の重複度設定値以下の場合、つまり重なっているデータ数が１０個以下の場合は、１番目の色番号設定値、つまり緑色表示にてグラフプロットデータがグラフ上にプロット出力され（Ｓ１２４）、同様に全グラフプロットデータの組み合わせ分において処理が行われる（Ｓ１２５、Ｓ１２６）。次に、色調デー夕記憶部１０４より２番目の色番号設定値と重複度設定値とが読み込まれると（Ｓ１２７）、２番目の重複度設定値とのチェックが行われ（Ｓ１２８、Ｓ１２９）、重複度が２番目の重複度設定値以下の場合、つまり重なっているデータ数が２０個以下の場合は、２番目の色番号設定値、つまり黄色表示にてグラフプロットデータがグラフ上にプロット出力され（Ｓ１３０）、同様に全グラフプロットデータの組み合わせ分において処理が行われる（Ｓ１３１、Ｓ１３２）。さらに、色調データ記憶部１０４より３番目の色番号設定値が読み込まれると（Ｓ１３３）、２番目の重複度設定値とのチェックが行われ（Ｓ１３４、Ｓ１３５）、重複度が２番目の重複度設定値以上の場合、つまり重なっているデータ数が２１個以上の場合は、３番目の色番号設定値、つまり赤色表示にてグラフ上にグラフプロットデータがプロット出力され（Ｓ１３６）、同様に全グラフプロットデータの組み合わせ分において処理が行われる（Ｓ１３７、Ｓ１３８）。
【００２８】
本実施形態のプラントデータ解析装置Ａによれば、例えば一定時間毎に測定された二種類のプラントデータの相関関係が表されるグラフ表示等において、プラントデータに関するグラフプロットデータの重なり度合いに応じてプロット記号の表示色が変わるので、グラフ上でのプラントデータの分布状態を細かく読み取ることができる。
【００２９】
次に、本発明の第２の実施形態について説明する。図５は、本発明の第２の実施形態にかかるプラントデータ解析装置を示す構成図である。
【００３０】
同図に示すように、このプラントデータ解析装置Ｂは、図１に示すプラントデータ解析装置Ａの色調データ記憶部１０４とデータ表示制御部１０６とに代え、記号データ記憶部１１４とデータ表示制御部１１６とを備えて構成されている。
記号データ記憶部１１４には、図６に示すように、記号データが記憶されおり、は、記号番号と重複度とから構成されている。記号番号１は“１”＝細線円、記号番号２は“２”＝太線円、記号番号３は“３”＝塗潰し円に各々対応している。重複度１は“１０”、重複度２は“２０”であり、データの重なり数の基準値が登録されている。そして、ＣＲＴの同一の表示位置でグラフプロットデータの重なり度合いが１０個以下の場合は細線円表示、データの重なり度合いが１１個以上で２０個以下の場合は太線円表示、データの重なり度合いが２１個以上の場合は塗潰し円表示がそれぞれ行なわれる設定となっている。
【００３１】
次に、データ表示制御部１１６にて行われる処理を図７に示すフローチャートにより説明する。
【００３２】
まず、記号データ記憶部１１４より記号番号設定値と重複度設定値とが読み込まれると（Ｓ１４１）、変数の初期化が行われ（Ｓ１４２）、１番目の重複度設定値とのチェックが行われる（Ｓ１４３）。重複度が１番目の重複度設定値以下の場合、つまり重なっているデータ数が１０個以下の場合は、１番目の記号番号設定値、つまり細線円表示にてグラフプロットデータがグラフ上にプロット出力される（Ｓ１４４）。次に、２番目の重複度設定値とのチェックが行われる（Ｓ１４５）。重複度が２番目の重複度設定値以下の場合、つまり重なっているデータ数が２０個以下の場合は、２番目の記号番号設定値、つまり太線円表示にてグラフプロットデータがグラフ上にプロット出力される（Ｓ１４６）。さらに、３番目の記号番号設定値、つまり重なっているデータ数が２１個以上の場合の塗潰し円表示にてグラフ上にグラフプロットデータがプロット出力される（Ｓ１４７）。同様に全グラフプロットデータの組み合わせ分において処理が行われると、図８に示すように、入出力端末１０５のＣＲＴにグラフ表示が行われる（Ｓ１４８、Ｓ１４９）。
【００３３】
本実施形態のプラントデータ解析装置Ｂによれば、例えば一定時間毎に測定された二種類のプラントデータの相関関係が表されるグラフ表示等において、プラントデータに関するグラフプロットデータの重なり度合いに応じてプロット記号が変わるので、グラフ上でのプラントデータの分布状態を細かく読み取ることができる。また、このようにデータの重なり度合いに応じてプロット記号が変わることから、プラントデータ解析装置Ｂのグラフデータを、モノクロのプリンタ等にて出力した場合、或は該プリンタ等にて出力されたグラフデータをコピー機等に複写した場合等においてもデータの重なり度合いを読み取ることができる。
【００３４】
次に、本発明の第３の実施形態について説明する。図９は、本発明の第３の実施形態にかかるプラントデータ解析装置を示す構成図である。
【００３５】
同図に示すように、このプラントデータ解析装置Ｃは、図１に示すプラントデータ解析装置Ａの色調データ記憶部１０４とデータ表示制御部１０６とに代え、グラフのＸ軸方向及びＹ軸方向の分布状態を入出力端末１０５に表示するためのプロット・分布データ表示制御部１２６を備えて構成されている。
【００３６】
ここで、プロット・分布データ表示制御部１２６にて行われる処理を図１０に示すフローチャートにより説明する。まず、変数の初期化が行われると（Ｓ１５１）、図１１に示すように、グラフ表示エリア１２７にグラフプロットデータがプロット出力される（Ｓ１５２）。Ｘ軸方向分布表示エリア１２８内のＸＰ（Ｉ）のプロット位置でＲ（Ｉ）の棒グラフデータが出力され（Ｓ１５３）、Ｙ軸方向分布表示エリア１２９内のＹＰ（Ｉ）のプロット位置でＲ（Ｉ）の棒グラフデータが出力される（Ｓ１５４）。同様に全グラフプロットデータの組み合わせ分において処理が行われる（Ｓ１５５、Ｓ１５６）。これにより、プロット・分布データ表示制御部１２６を介して入出力端末１０５に表示された画面は、図１１に示すように、グラフ表示エリア１２７内のプロット記号を基準として、Ｘ軸方向分布表示エリア１２８及びＹ軸方向分布表示エリア１２９にプラントデータに関するグラフプロットデータの重なり度合いが表示される。
【００３７】
本実施形態のプラントデータ解析装置Ｃによれば、例えば一定時間毎に測定された二種類のプラントデータの相関関係が表されるグラフ表示等において、プラントデータに関するグラフプロットデータの重なり度合いに応じて、Ｘ軸方向及びＹ軸方向に分けてデータ分布が表示されるので、グラフ上でのプラントデータの分布状態を細かく読み取ることができる。
【００３８】
次に、本発明の第４の実施形態について説明する。図１２は、本発明の第４の実施形態にかかるプラントデータ解析装置を示す構成図である。
【００３９】
同図に示すように、このプラントデータ解析装置Ｄは、測定されたプラントデータの経時変化が表されるトレンドグラフ表示を行なうためのものであり、プラントから収集されたプラントデータを記憶するプラントデータ記憶部２０１と、プラントデータ記憶部２０１に記憶されているプラントデータを読み込みプラントデータに関するトレンドグラフデータを作成するトレンドデータ作成部２０２と、このトレンドデータ作成部２０２にて作成されたトレンドグラフデータに基づいてＣＲＴを備えた入出力端末２０３にトレンドグラフ表示を行うためのトレンドデータ表示制御部２０４と、表示されたトレンドグラフにおいて入出力端末２０３からの入力に基づき、指定された位置の時刻に対応するプラントデータの代表値、或は指定された位置の当該時刻を詳細に分割した時刻に対応するプラントデータの詳細値のいずれの値の読み取りを行うのかを判定する指定データ値判定部２０５と、この指定データ値判定部２０５の判定結果から指定された位置の時刻を算出する指定時刻算出部２０６と、この指定時刻算出部２０６にて算出された時刻とプラントデータ記憶部２０１より読み込んだプラントデータとから指定した時刻に対応するプラントデータの値を算出する指定データ値算出部２０７と、指定データ値算出部２０７にて算出されたプラントデータの値と指定時刻算出部２０６にて算出された時刻とを入出力端末２０３に表示するための指定データ値表示制御部２０８とにより構成されている。
【００４０】
指定データ値の読み取りの対話操作を行う対話画面は、図１３に示すように、例えばトレンドグラフのＸ軸（時間軸）の幅の６０秒が、Ｘ軸方向における３４０ドットの位置から９４０ドットの位置まで、６００ドットの長さで表示されている。さらに、１０ｍｓｅｃのサンプリング周期のプラントデータがトレンド表示されている場合、１ドットに１０点分のデータがプロット出力されていることになる。例えば、グラフ上の６４０ドットの位置は、以下の計算式より時間軸の３０秒の位置に対応しており、３０．００秒〜３０．０９秒のデータがプロット出力されている。
【００４１】
（６４０ドット−３４０ドット）÷６００ドット×６０ｓｅｃ＝３０ｓｅｃ
ここで、指定データ値判定部２０５及び指定時刻算出部２０６にて行われる処理を図１４に示すフローチャートにより説明する。
【００４２】
まず、入出力端末２０４のマウスボタンがクリックされると（Ｓ１６１）、マウスの左右の各ボタンのうち、どちらのボタンがクリックされたのかが判定されるとともに（Ｓ１６２）、マウスのボタンがクリックされたときのカ−ソル位置の読み込みが行われる（Ｓ１６３）。次いで、判定されたマウスのボタンが認識され（Ｓ１６４）、左ボタンがクリックされたと認識した場合は、表示されたトレンドグラフにおいてカーソルのあるドット位置で１番目のデータの時刻を指定された位置の時刻として算出し（Ｓ１６５）、一方右ボタンがクリックされた場合は、クリック数に対応してプラントデータのサンプリング周期に相当する時間（本実施形態の場合１０ｍｓｅｃ）が加算される（Ｓ１６６）。これにより、図１３に示すようにサンプリングされた周期単位でプラントデータ値を読み取ることが可能となる。
【００４３】
本実施形態のプラントデータ解析装置Ｄによれば、例えば測定されたプラントデータの経時変化が表されるトレンドグラフ表示等において、表示されているグラフ上の指定した位置のトレンドグラフデータの値を細かく読み取ることができる。これにより、短いサンプリング周期で収集されたプラントデータの経時変化がトレンドグラフ表示された場合でも、サンプリングされた周期単位でデータ値を読み取ることが可能となる。
【００４４】
次に、本発明の第５の実施形態について説明する。図１５は、本発明の第５の実施形態にかかるプラントデータ解析装置を示す構成図である。
【００４５】
同図に示すように、このプラントデータ解析装置Ｅは、図１２に示すプラントデータ解析装置Ｄの指定データ値判定部２０５と指定時刻算出部２０６と指定データ値算出部２０７と指定データ値表示制御部２０８とに代え、表示されたトレンドグラフにおいて入出力端末２０３からの入力に基づき、指定された位置に対応するデータの読み取りの開始時刻と終了時刻とを算出する指定データ開始・終了時刻算出部２１５と、この指定データ開始・終了時刻算出部２１５にて算出された開始・終了時刻とプラントデータ記憶部２０１より読み込んだプラントデータとから指定した範囲のデータの算出を行う指定データ範囲算出部２１６と、この指定データ範囲算出部２１６にて算出された指定した範囲のデータを入出力端末２０３に拡大してトレンドグラフ表示するための指定データ拡大表示制御部２１７とを備えて構成されている。
【００４６】
ここで、指定データ開始・終了時刻算出部２１５にて行われる処理を図１６に示すフローチャートにより説明する。
【００４７】
入出力端末２０３のマウスボタンがクリックされると（Ｓ１７１）、マウスのボタンがクリックされたときのカーソル位置の読み込みが行われる（Ｓ１７２）。表示されたトレンドグラフにおいて図１７に示すようにカーソルのあるドット位置で１番目のデータの時刻が指定データ開始時刻（本実施形態では４０．１０ｓｅｃ）として算出され（Ｓ１７３）、さらに指定データ開始時刻にサンプリング周期（０．０１ｓｅｃ）に対応する時間幅が加算され指定データ終了時刻（本実施形態では４０．１９ｓｅｃ）として算出される（Ｓ１７４）。
【００４８】
さらに、指定データ値の読み取りの対話操作を行う対話画面は、図１７に示すように、カーソルで指定した位置に対応する全時系列データが、サンプリングされた周期単位で拡大表示エリア２１８にトレンドグラフ表示される。
【００４９】
このように、本実施形態のプラントデータ解析装置Ｅによれば、例えば測定されたプラントデータの経時変化が表されるトレンドグラフ表示等において、表示されているグラフ上の指定した位置のトレンドグラフデータを拡大表示することができるので、トレンドグラフデータの値を細かく読み取ることができる。なお、プラントデータ解析装置Ｅの拡大機能を、第１〜第３の実施形態のプラントデータ解析装置Ａ、Ｂ、Ｃに応用し、プラントデータに関するグラフプロットデータの重なり度合いを読み取れるようにしてもよい。
【００５０】
次に、本発明の第６の実施形態について説明する。図１８は、本発明の第６の実施形態にかかるプラントデータ解析装置Ｆを示す構成図である。
【００５１】
同図に示すように、このプラントデータ解析装置Ｆは、図１２に示すプラントデータ解析装置Ｄの指定データ値判定部２０５と指定時刻算出部２０６と指定データ値算出部２０７と指定データ値表示制御部２０８とに代え、表示されたトレンドグラフにおいて入出力端末２０３からの入力に基づき、指定された位置に対応する時系列を算出する時系列算出部２２５と、この時系列算出部２２５にて算出された時系列とプラントデ−タ記憶部２０１より読み込んだプラントデータとから指定した範囲のデータ値の算出を行う指定データ範囲算出部２２６と、この指定データ範囲算出部２２６にて算出された指定した範囲のデータ値を入出力端末２０３にリスト形式の表示を行うための指定データ値リスト出力部２２７とを備えて構成されている。
【００５２】
ここで、時系列算出部２２５にて行われる処理を図１９に示すフローチャートにより説明する。
【００５３】
入出力端末２０３のマウスボタンがクリックされると（Ｓ１８１）、マウスのボタンがクリックされたときのカーソル位置の読み込みが行われる（Ｓ１８２）。表示されたトレンドグラフにおいて図２０に示すように、カーソルのあるドット位置で、１番目のデータの時刻が指定データ開始時刻（本実施形態では４０．１０ｓｅｃ）として算出され（Ｓ１８３）、カーソルのあるドット位置に対応する全時刻データ、つまりサンプリング周期（０．０１ｓｅｃ）に相当する時間が加算されて行く指定時系列データ（本実施形態では４０．１０、４０．１１……４０．１９ｓｅｃ）が算出される（Ｓ１８４〜Ｓ１８７）。
【００５４】
さらに指定データ値の読み取りの対話操作を行う対話画面は、図２０に示すように、カーソルで指定した位置に対応する全時系列データが、データ値リスト表示エリア２２８にリスト表示される。
【００５５】
本実施形態のプラントデータ解析装置Ｆによれば、例えば測定されたプラントデータの経時変化が表されるトレンドグラフ表示等において、表示されているグラフ上の指定した位置のトレンドグラフデータにおける個々のデータ値をリスト形式で表示することができるので、トレンドグラフデータの値を細かく読み取ることができる。
【００５６】
【発明の効果】
以上説明したように、本発明のプラントデータ解析装置によれば、表示装置の分解能より細かいサンプリング周期でデータを収集することに起因して表示位置上でのデータ値の重なりが多分に想定されるプラントデータについて、表示装置固有の分解能による一様な表示限界に起因する表示の見難さや粗さという課題を克服し、プラントデータの分布状態やそのデータ値をより詳細に表示装置に表示させることができる。
【図面の簡単な説明】
【図１】本発明の第１の実施形態にかかるプラントデータ解析装置を示す構成図
【図２】図１のプラントデータ解析装置が有する色調データ記憶部を概略的に示す図
【図３】図１のプラントデータ解析装置が有する重複度算出部にて行われる処理を示すフローチャート
【図４】図１のプラントデータ解析装置が有するデータ表示制御部にて行われる処理を示すフローチャート
【図５】本発明の第２の実施形態にかかるプラントデータ解析装置を示す構成図
【図６】図５のプラントデータ解析装置が有する記号データ記憶部を概略的に示す図
【図７】図５のプラントデータ解析装置が有するデータ表示制御部にて行われる処理を示すフローチャート
【図８】図５のプラントデータ解析装置の入出力端末のＣＲＴに表示される画面
【図９】本発明の第３の実施形態にかかるプラントデータ解析装置を示す構成図
【図１０】図９のプラントデータ解析装置が有するプロット・分布データ表示制御部にて行われる処理を示すフローチャート
【図１１】図９のプラントデータ解析装置の入出力端末のＣＲＴに表示される画面
【図１２】本発明の第４の実施形態にかかるプラントデータ解析装置を示す構成図
【図１３】図１２のプラントデータ解析装置における指定データ値の読み取りの対話画面
【図１４】図１２のプラントデータ解析装置における指定データ値判定部及び指定時刻算出部にて行われる処理を示すフローチャート
【図１５】本発明の第５の実施形態にかかるプラントデータ解析装置を示す構成図
【図１６】図１５のプラントデータ解析装置が有する指定データ開始・終了時刻算出部にて行われる処理を示すフローチャート
【図１７】図１５のプラントデータ解析装置における指定データ値の読み取りの対話画面
【図１８】本発明の第６の実施形態にかかるプラントデータ解析装置を示す構成図
【図１９】図１８のプラントデータ解析装置が有する時系列算出部にて行われる処理を示すフローチャート
【図２０】図１８のプラントデータ解析装置における指定データ値の読み取りの対話画面
【図２１】プラントデータをプラントデータ解析装置で読み込んで作成したデータ
【図２２】従来の一定時間毎に測定された二種類のプラントデータの相関関係を示すグラフ表示画面
【図２３】従来の測定されたプラントデータの経時変化を示すトレンドグラフ表示画面
【図２４】従来の第１のプラントデータ解析装置を示す構成図
【図２５】図２４の第１のプラントデータ解析装置が有する入出力端末のＣＲＴ
【図２６】従来の第２のプラントデータ解析装置を示す構成図
【図２７】図２６の第２のプラントデータ解析装置が有する入出力端末のＣＲＴ
【符号の説明】
１０１、２０１……プラントデータ記憶部
１０２……プロットデータ作成部
１０３……重複度算出部
１０４……色調データ記憶部
１０５、２０３……入出力端末
１０６、１１６……データ表示制御部
１１４……記号データ記憶部
１２６……プロット・分布データ表示制御部
１２７……グラフ表示エリア
１２８……Ｘ軸方向分布表示エリア
１２９……Ｙ軸方向分布表示エリア
２０２……トレンドデータ作成部
２０４……トレンドデータ表示制御部
２０５……指定データ値判定部
２０６……指定時刻算出部
２０７……指定データ値算出部
２０８……指定データ値表示制御部
２１５……指定データ開始・終了時刻算出部
２１６、２２６……指定データ範囲算出部
２１７……指定データ拡大表示制御部
２１８……拡大表示エリア
２２５……時系列算出部
２２７……指定データ値リスト出力部
２２８……データ値リスト表示エリア
Ａ、Ｂ、Ｃ、Ｄ、Ｅ、Ｆ……プラントデータ解析装置
【図１】
0003708699.tif 000002
【図２】
0003708699.tif 000003
【図３】
0003708699.tif 000004
【図４】
0003708699.tif 000005
【図５】
0003708699.tif 000006
【図６】
0003708699.tif 000007
【図７】
0003708699.tif 000008
【図８】
0003708699.tif 000009
【図９】
0003708699.tif 000010
【図１０】
0003708699.tif 000011
【図１１】
0003708699.tif 000012
【図１２】
0003708699.tif 000013
【図１３】
0003708699.tif 000014
【図１４】
0003708699.tif 000015
【図１５】
0003708699.tif 000016
【図１６】
0003708699.tif 000017
【図１７】
0003708699.tif 000018
【図１８】
0003708699.tif 000019
【図１９】
0003708699.tif 000020
【図２０】
0003708699.tif 000021
【図２１】
0003708699.tif 000022
【図２２】
0003708699.tif 000023
【図２３】
0003708699.tif 000024
【図２４】
0003708699.tif 000025
【図２５】
0003708699.tif 000026
【図２６】
0003708699.tif 000027
【図２７】
0003708699.tif 000028